(57)【要約】【課題】大衆に対する物品の配布を容易にする。【解決手段】コンピュータに、所定の場所に存在するユーザ９１の第１情報と第２情報とを収集し、第２情報によって特定されるグループに属するユーザのそれぞれについて共通する第１情報を特定し、特定された第１情報と、所定の場所に存在する物品９３の数量とに基づいて、ユーザ９１に配布可能な物品９３を提示する。【選択図】図１
2019197264.tif 000002
【特許請求の範囲】
【請求項１】
コンピュータに、
所定の場所に存在するユーザの第１情報と第２情報とを収集し、
前記第２情報によって特定されるグループに属する前記ユーザのそれぞれについて共通する前記第１情報を特定し、
特定された前記第１情報と、前記所定の場所に存在する物品の数量とに基づいて、前記ユーザに配布可能な物品を提示する、
処理を実行させる、プログラム。
【請求項２】
前記グループに属するユーザ全員について、前記配布可能な物品を提示する、
処理を前記コンピュータに実行させる、請求項１に記載のプログラム。
【請求項３】
前記配布可能な物品の提示対象である前記ユーザが属する前記グループについて特定された前記第１情報と、他のグループについて特定された前記第１情報と、前記所定の場所に存在する物品の数量とに基づいて、不足しないことが予測される物品を優先して、前記配布可能な物品として提示する、
処理を前記コンピュータに実行させる、請求項１又は２に記載のプログラム。
【請求項４】
前記第１情報は、前記ユーザが持つ食物アレルギーに関する情報であり、
前記第２情報は、前記ユーザが属する家族に関する情報であり、
前記第２情報によって特定される前記家族に属する前記ユーザのそれぞれについて、食物アレルギーを有しないことにより、共通して摂取可能な食品を前記第１情報によって特定し、
特定した前記共通して摂取可能な食品と、前記所定の場所に存在する食品の数量とに基づいて、前記家族に前記配布可能な食品を提示する、
処理を前記コンピュータに実行させる、請求項１〜３のいずれか１項に記載のプログラム。
【請求項５】
家族毎に、前記所定の場所に存在する食品のうち、前記共通して摂取可能な食品の品目数の逆数を算出し、
対象の食品を提供可能な家族について、前記品目数の逆数の平均値を算出し、
前記所定の場所に存在する家族の数に対する、前記対象の食品を提供可能な家族の数の第１の割合を算出し、
前記所定の場所に存在する前記対象の食品の数に対する、当該対象の食品を提供可能な家族に属するユーザの合計数の第２の割合を算出し、
前記平均値と前記第１の割合と前記第２の割合とに基づき、閾値を算出し、
前記共通して摂取可能な食品の品目数の逆数が前記閾値以上である前記対象の食品を、前記配布可能な食品として提示する、
処理を前記コンピュータに実行させる、請求項４に記載のプログラム。
【請求項６】
前記平均値をｘとし、前記第１の割合をｙとし、前記第２の割合をｚとする場合に、前記閾値は、
【数８】
2019197264.tif 000010
によって、表わせる、
請求項５に記載のプログラム。
【請求項７】
情報処理装置と、端末とを有し、
前記情報処理装置は、
所定の場所に存在するユーザの第１情報と第２情報とを収集する収集部と、
前記第２情報によって特定されるグループに属する前記ユーザのそれぞれについて共通する前記第１情報を特定する特定部と、
特定された前記第１情報と、前記所定の場所に存在する物品の数量とに基づいて、前記ユーザに配布可能な物品を判定する判定部と、
を備え、
前記端末は、
前記判定部によって判定された前記ユーザに配布可能な物品を提示する表示処理部
を備える、情報処理システム。
【請求項８】
情報処理装置において、
所定の場所に存在するユーザの第１情報と第２情報とを収集し、
前記第２情報によって特定されるグループに属する前記ユーザのそれぞれについて共通する前記第１情報を特定し、
特定された前記第１情報と、前記所定の場所に存在する物品の数量とに基づいて、前記ユーザに配布可能な物品を判定し、
を備え、
端末において、
前記情報処理装置によって判定された前記ユーザに配布可能な物品を提示する、
配布管理方法。
【発明の詳細な説明】
【技術分野】
【０００１】
本発明は、プログラム，情報処理システム及び配布管理方法に関する。
【背景技術】
【０００２】
大規模災害が発生した際には、自治体によって指定された避難所において、食料品や日用品等の緊急支援物資が配布される場合がある。
【先行技術文献】
【特許文献】
【０００３】
【特許文献１】特開２０１７−６８７９２号公報
【発明の概要】
【発明が解決しようとする課題】
【０００４】
緊急支援物資が配布される際には、避難者の家族の代表者が家族の全員分の緊急支援物資を受け取ったり、各避難者が個別に緊急支援物資を受け取ったりする場合があり、配布管理が困難になるおそれがある。
【０００５】
また、緊急支援物資として食料品が配布される場合には、避難者の中に食物アレルギーを持つ人がいると、当該避難者には対象のアレルゲンを含まない食料品が選択されるため、食料品の選定や在庫管理，必要量の予測等が複雑になるおそれがある。
【０００６】
１つの側面では、大衆に対する物品の配布を容易にすることを目的とする。
【課題を解決するための手段】
【０００７】
コンピュータに、所定の場所に存在するユーザの第１情報と第２情報とを収集し、前記第２情報によって特定されるグループに属する前記ユーザのそれぞれについて共通する前記第１情報を特定し、特定された前記第１情報と、前記所定の場所に存在する物品の数量とに基づいて、前記ユーザに配布可能な物品を提示する、処理を実行させる。
【発明の効果】
【０００８】
１つの側面では、大衆に対する物品の配布を容易にすることができる。
【図面の簡単な説明】
【０００９】
【図１】実施形態の一例における情報処理システムのシステム構成を模式的に示すブロック図である。
【図２】図１に示した個人情報入力端末及びリクエスト受付端末のハードウェア構成を模式的に示すブロック図である。
【図３】図２に示した個人情報入力端末及びリクエスト受付端末の機能構成を模式的に示すブロック図である。
【図４】図１に示した拠点サーバ，避難所サーバ及び自治体サーバのハードウェア構成を模式的に示すブロック図である。
【図５】図１に示した拠点サーバ，避難所サーバ及び自治体サーバの機能構成を模式的に示すブロック図である。
【図６】図１に示した情報処理システムのシステム構成の具体例を模式的に示すブロック図である。
【図７】図１に示した情報処理システムにおける処理を説明するブロック図である。
【図８】図１に示した情報処理システムにおけるアレルゲン有無在庫情報Database（ＤＢ）を例示するテーブルである。
【図９】図１に示した情報処理システムにおける家族アレルギー食品情報ＤＢを例示するテーブルである。
【図１０】図１に示した情報処理システムにおける家族構成情報ＤＢを例示するテーブルである。
【図１１】図１に示した情報処理システムにおける提供可能食料品テーブルを例示する図である。
【図１２】図１に示した情報処理システムにおける提供可能食料品割合テーブルの第１の例を示す図である。
【図１３】図１に示した情報処理システムにおける提供可能食料品選定結果テーブルの第１の例を示す図である。
【図１４】図１に示した情報処理システムにおける提供可能食料品割合テーブルの第２の例を示す図である。
【図１５】図１に示した情報処理システムにおける提供可能食料品選定結果テーブルの第２の例を示す図である。
【図１６】図２に示したリクエスト受付端末における家族構成表示画面の表示例を示す図である。
【図１７】図２に示したリクエスト受付端末におけるリクエスト数入力画面の表示例を示す図である。
【図１８】図１に示した情報処理システムにおける食料品登録処理を説明するフローチャートである。
【図１９】図１に示した情報処理システムにおける避難者登録処理を説明するフローチャートである。
【図２０】図１に示した情報処理システムにおける食料品配布処理を説明するフローチャートである。
【図２１】図１に示した情報処理システムにおける食料品選定を説明するフローチャートである。
【発明を実施するための形態】
【００１０】
以下、図面を参照して一実施の形態を説明する。ただし、以下に示す実施形態はあくまでも例示に過ぎず、実施形態で明示しない種々の変形例や技術の適用を排除する意図はない。すなわち、本実施形態を、その趣旨を逸脱しない範囲で種々変形して実施することができる。
【００１１】
また、各図は、図中に示す構成要素のみを備えるという趣旨ではなく、他の機能等を含むことができる。
【００１２】
以下、図中において、同一の各符号は同様の部分を示しているので、その説明は省略する。
【００１３】
〔Ａ〕実施形態の一例
〔Ａ−１〕システム構成例
図１は、実施形態の一例における情報処理システム１００のシステム構成を模式的に示すブロック図である。
【００１４】
情報処理システム１００は、例えば大規模災害が発生した場合に、避難所に避難してきた避難者９１への食料品９３の配布のために使用される。情報処理システム１００は、拠点サーバ１と避難所サーバ２と個人情報入力端末３とリクエスト受付端末４と配布食料品表示端末５と食料品登録端末６と自治体サーバ７とを備える。
【００１５】
拠点サーバ１と避難所サーバ２と自治体サーバ７との間は、ネットワーク８を介して、互いに通信可能に接続される。拠点サーバ１と食料品登録端末６との間も、ネットワーク８を介して、互いに通信可能に接続される。避難所サーバ２と個人情報入力端末３とリクエスト受付端末４と配布食料品表示端末５との間も、ネットワーク８を介して、互いに通信可能に接続される。
【００１６】
拠点サーバ１は、図４〜図７等を用いて後述するように、アレルゲン有無在庫情報ＤＢ１０２を管理し、各避難者（「ユーザ」と称してもよい。）９１に提供可能な食料品９３（「食品」と称してもよい。）を判定する。
【００１７】
避難所サーバ２は、避難所に設置され、図４〜図７等を用いて後述するように、アレルゲン有無在庫情報ＤＢ１０２，家族アレルギー食品情報ＤＢ２０２及び家族構成情報ＤＢ２０３を管理する。
【００１８】
個人情報入力端末３は、避難所に設置され、図２，図３，図６及び図７等を用いて後述するように、避難者９１の個人情報３０１及び家族構成情報３０２の登録を受け付ける。個人情報入力端末３には、生体認証装置の一例として、顔認証カメラ３５３及び静脈認証装置３５４が接続されてよい。
【００１９】
顔認証カメラ３５３は、避難所に居住しようとする避難者９１の顔を撮影して、避難者９１の顔のデータを個人情報３０１として取得する。
【００２０】
静脈認証装置３５４は、避難所に居住しようとする避難者９１の静脈に関するデータを個人情報３０１として取得する。
【００２１】
リクエスト受付端末４は、避難所に設置され、図２，図３及び図７等を用いて後述するように、避難者９１の個人情報３０１の入力を受け付け、避難者９１に配布可能な食料品９３に関する情報を表示する。リクエスト受付端末４には、生体認証装置の一例として、顔認証カメラ４５３及び静脈認証装置４５４が接続されてよい。
【００２２】
顔認証カメラ４５３は、食料品９３の配布を受けようとする避難者９１の顔を撮影して、避難者９１の顔のデータを個人情報３０１として取得する。
【００２３】
静脈認証装置４５４は、食料品９３の配布を受けようとする避難者９１の静脈に関するデータを個人情報３０１として取得する。
【００２４】
避難所スタッフ９２ａは、リクエスト受付端末４に表示された配布可能な食料品９３に関する情報によって避難者９１が選択した食料品９３を避難者９１に配布する。
【００２５】
配布食料品表示端末５は、避難所スタッフ９２ｂによって操作され、避難所に存在する食料品９３に関する情報を表示する。
【００２６】
食料品登録端末６は、食料品倉庫スタッフ９２ｃによって操作され、図６及び図７等を用いて後述するように、食料品倉庫の配布食料品保管棚９４に存在する食料品９３に関する情報の登録を受け付ける。
【００２７】
自治体サーバ７は、図６及び図７等を用いて後述するように、家族アレルギー食品情報ＤＢ２０２及び家族構成情報ＤＢ２０３を管理する。
【００２８】
図２は、図１に示した個人情報入力端末３及びリクエスト受付端末４のハードウェア構成を模式的に示すブロック図である。
【００２９】
個人情報入力端末３は、ＣＰＵ３１，メモリ３２，表示制御部３３，記憶装置３４，入力Interface（Ｉ／Ｆ）３５，読み書き処理部３６及び通信Ｉ／Ｆ３７を備える。また、リクエスト受付端末４は、ＣＰＵ４１，メモリ３２，表示制御部３３，記憶装置３４，入力Ｉ／Ｆ３５，読み書き処理部３６及び通信Ｉ／Ｆ３７を備える。
【００３０】
なお、図１に示した配布食料品表示端末５及び食料品登録端末６においても、個人情報入力端末３及びリクエスト受付端末４と同様のハードウェア構成が備えられてよい。
【００３１】
メモリ３２は、例示的に、Read Only Memory（ＲＯＭ）及びRandom Access Memory（ＲＡＭ）を含む記憶装置である。メモリ３２のＲＯＭには、Basic Input/Output System（ＢＩＯＳ）等のプログラムが書き込まれてよい。メモリ３２のソフトウェアプログラムは、ＣＰＵ３１又は４１に適宜に読み込まれて実行されてよい。また、メモリ３２のＲＡＭは、一次記録メモリあるいはワーキングメモリとして利用されてよい。
【００３２】
表示制御部３３は、表示装置３３０と接続され、表示装置３３０を制御する。表示装置３３０は、液晶ディスプレイやOrganic Light-Emitting Diode（ＯＬＥＤ）ディスプレイ，Cathode Ray Tube（ＣＲＴ），電子ペーパーディスプレイ等であり、オペレータ等に対する各種情報を表示する。表示装置３３０は、入力装置と組み合わされたものでもよく、例えば、タッチパネルでもよい。
【００３３】
記憶装置３４は、例示的に、データを読み書き可能に記憶する装置であり、例えば、Hard Disk Drive（ＨＤＤ）やSolid State Drive（ＳＳＤ），Storage Class Memory（ＳＣＭ）が用いられてよい。
【００３４】
入力Ｉ／Ｆ３５は、マウス３５１やキーボード３５２，顔認証カメラ３５３又は４５３，静脈認証装置３５４又は４５４等の入力装置と接続され、これらの入力装置を制御する。マウス３５１やキーボード３５２等は、入力装置の一例であり、これらの入力装置を介して、避難者９１が各種の入力操作を行なう。
【００３５】
なお、個人情報入力端末３において顔認証カメラ３５３と静脈認証装置３５４との一方又は両方は接続されなくてもよく、リクエスト受付端末４において顔認証カメラ４５３と静脈認証装置４５４との一方又は両方も接続されなくてもよい。個人情報入力端末３及びリクエスト受付端末４において、生体認証装置が接続されない場合には、例えばパスワードや暗証番号等によって、避難者９１の本人認証が実施されてよい。
【００３６】
読み書き処理部３６は、記録媒体３６０が装着可能に構成される。読み書き処理部３６は、記録媒体３６０が装着された状態において、記録媒体３６０に記録されている情報を読み取り可能に構成される。本例では、記録媒体３６０は、可搬性を有する。例えば、記録媒体３６０は、フレキシブルディスク、光ディスク、磁気ディスク、光磁気ディスク、又は、半導体メモリ等である。
【００３７】
通信Ｉ／Ｆ３７は、外部装置との通信を可能にするためのインタフェースである。
【００３８】
図３の（１）は、図２に示した個人情報入力端末３の機能構成を模式的に示すブロック図である。図３の（２）は、図２に示したリクエスト受付端末４の機能構成を模式的に示すブロック図である。
【００３９】
ＣＰＵ３１及び４１は、種々の制御や演算を行なう処理装置であり、メモリ３２に格納されたOperating System（ＯＳ）やプログラムを実行することにより、種々の機能を実現する。すなわち、個人情報入力端末３のＣＰＵ３１は、図３の（１）に示すように、第１受付処理部３１１及び第１表示処理部３１２として機能する。また、リクエスト受付端末４のＣＰＵ４１は、図３の（２）に示すように、第２受付処理部４１１及び第２表示処理部４１２として機能する。
【００４０】
なお、個人情報入力端末３における第１受付処理部３１１及び第１表示処理部３１２としての機能、又は、リクエスト受付端末４における第２受付処理部４１１及び第２表示処理部４１２としての機能を実現するためのプログラムは、例えば前述した記録媒体３６０に記録された形態で提供される。そして、コンピュータは読み書き処理部３６を介してその記録媒体３６０からプログラムを読み取って内部記憶装置または外部記憶装置に転送し格納して用いる。また、そのプログラムを、例えば磁気ディスク，光ディスク，光磁気ディスク等の記憶装置（記録媒体）に記録しておき、その記憶装置から通信経路を介してコンピュータに提供してもよい。
【００４１】
個人情報入力端末３における第１受付処理部３１１及び第１表示処理部３１２としての機能、又は、リクエスト受付端末４における第２受付処理部４１１及び第２表示処理部４１２としての機能を実現する際には、内部記憶装置に格納されたプログラムがコンピュータのマイクロプロセッサによって実行される。このとき、記録媒体３６０に記録されたプログラムをコンピュータが読み取って実行してもよい。なお、本実施形態において、内部記憶装置はメモリ３２であり、マイクロプロセッサはＣＰＵ３１又は４１である。
【００４２】
例示的に、ＣＰＵ３１は個人情報入力端末３全体の動作を制御し、ＣＰＵ４１はリクエスト受付端末４全体の動作を制御する。個人情報入力端末３又はリクエスト受付端末４全体の動作を制御するための装置は、ＣＰＵ３１又は４１に限定されず、例えば、ＭＰＵやＤＳＰ，ＡＳＩＣ，ＰＬＤ，ＦＰＧＡのいずれか１つであってもよい。また、個人情報入力端末３又はリクエスト受付端末４全体の動作を制御するための装置は、ＣＰＵ，ＭＰＵ，ＤＳＰ，ＡＳＩＣ，ＰＬＤ及びＦＰＧＡのうちの２種類以上の組み合わせであってもよい。なお、ＭＰＵはMicro Processing Unitの略称であり、ＤＳＰはDigital Signal Processorの略称であり、ＡＳＩＣはApplication Specific Integrated Circuitの略称である。また、ＰＬＤはProgrammable Logic Deviceの略称であり、ＦＰＧＡはField Programmable Gate Arrayの略称である。
【００４３】
個人情報入力端末３において、図３の（１）に示す第１受付処理部３１１は、避難所に居住しようとする避難者９１についての、個人情報３０１及び家族構成情報３０２（いずれも図５及び図６等を用いて後述）の登録を受け付ける。第１受付処理部３１１は、顔認証カメラ３５３又は静脈認証装置３５４によって取得される生体情報に基づいて、個人情報３０１の登録を受け付けてもよい。
【００４４】
個人情報入力端末３において、図３の（１）に示す第１表示処理部３１２は、例えば、避難者９１についての、個人情報３０１及び家族構成情報３０２の登録結果を表示装置３３０に表示する。
【００４５】
リクエスト受付端末４において、図３の（２）に示す第２受付処理部４１１は、食料品９３の配布を受けようとする避難者９１についての個人情報３０１（図６等を用いて後述）の入力を受け付ける。第２受付処理部４１１は、顔認証カメラ４５３又は静脈認証装置４５４によって取得される生体情報に基づいて、個人情報３０１の入力を受け付けてもよい。
【００４６】
また、第２受付処理部４１１は、個人情報３０１によって個人認証が成功した避難者９１から、食料品９３の配布のリクエストを受け付ける。食料品９３の配布のリクエストの詳細については、図１６及び図１７等を用いて後述する。
【００４７】
リクエスト受付端末４において、図３の（２）に示す第２表示処理部４１２は、避難者９１からの食料品９３の配布のリクエストに応じて拠点サーバ１において判定された、配布可能な食料品９３に関する情報を表示装置３３０に表示（別言すれば、「提示」）する。配布可能な食料品９３に関する情報の表示の詳細については、図１７等を用いて後述する。
【００４８】
図４は、図１に示した拠点サーバ１，避難所サーバ２及び自治体サーバ７のハードウェア構成を模式的に示すブロック図である。
【００４９】
拠点サーバ１は、情報処理装置の一例であり、ＣＰＵ１１，メモリ１２，表示制御部１３，記憶装置１４，入力Ｉ／Ｆ１５，読み書き処理部１６及び通信Ｉ／Ｆ１７を備える。また、避難所サーバ２は、ＣＰＵ２１，メモリ１２，表示制御部１３，記憶装置１４，入力Ｉ／Ｆ１５，読み書き処理部１６及び通信Ｉ／Ｆ１７を備える。更に、自治体サーバ７は、ＣＰＵ７１，メモリ１２，表示制御部１３，記憶装置１４，入力Ｉ／Ｆ１５，読み書き処理部１６及び通信Ｉ／Ｆ１７を備える。
【００５０】
メモリ１２は、例示的に、ＲＯＭ及びＲＡＭを含む記憶装置である。メモリ１２のＲＯＭには、ＢＩＯＳ等のプログラムが書き込まれてよい。メモリ１２のソフトウェアプログラムは、ＣＰＵ１１，２１又は７１に適宜に読み込まれて実行されてよい。また、メモリ１２のＲＡＭは、一次記録メモリあるいはワーキングメモリとして利用されてよい。
【００５１】
表示制御部１３は、表示装置１３０と接続され、表示装置１３０を制御する。表示装置１３０は、液晶ディスプレイやＯＬＥＤディスプレイ，ＣＲＴ，電子ペーパーディスプレイ等であり、オペレータ等に対する各種情報を表示する。表示装置１３０は、入力装置と組み合わされたものでもよく、例えば、タッチパネルでもよい。
【００５２】
記憶装置１４及び１５は、例示的に、データを読み書き可能に記憶する装置であり、例えば、ＨＤＤやＳＳＤ，ＳＣＭが用いられてよい。
【００５３】
拠点サーバ１の記憶装置１４は、図６及び図７等を用いて後述するように、サーバプログラム（ＰＧ）１０１及びアレルゲン有無在庫情報ＤＢ１０２を記憶する。
【００５４】
避難所サーバ２の記憶装置２４は、図６及び図７等を用いて後述するように、サーバＰＧ２０１，アレルゲン有無在庫情報ＤＢ１０２，家族アレルギー食品情報ＤＢ２０２及び家族構成情報ＤＢ２０３を記憶する。
【００５５】
自治体サーバ７の記憶装置２４は、図６及び図７等を用いて後述するように、サーバＰＧ７０１，家族アレルギー食品情報ＤＢ２０２及び家族構成情報ＤＢ２０３を記憶する。
【００５６】
入力Ｉ／Ｆ１５は、マウス１５１やキーボード１５２等の入力装置と接続され、これらの入力装置を制御する。マウス１５１やキーボード１５２等は、入力装置の一例であり、これらの入力装置を介して、オペレータが各種の入力操作を行なう。
【００５７】
読み書き処理部１６は、記録媒体１６０が装着可能に構成される。読み書き処理部１６は、記録媒体１６０が装着された状態において、記録媒体１６０に記録されている情報を読み取り可能に構成される。本例では、記録媒体１６０は、可搬性を有する。例えば、記録媒体３６０は、フレキシブルディスク、光ディスク、磁気ディスク、光磁気ディスク、又は、半導体メモリ等である。
【００５８】
通信Ｉ／Ｆ１７は、外部装置との通信を可能にするためのインタフェースである。
【００５９】
図５の（１）は、図４に示した拠点サーバ１の機能構成を模式的に示すブロック図である。図５の（２）は、図４に示した避難所サーバ２の機能構成を模式的に示すブロック図である。図５の（３）は、図４に示した自治体サーバ７の機能構成を模式的に示すブロック図である。
【００６０】
ＣＰＵ１１，２１及び７１は、種々の制御や演算を行なう処理装置であり、メモリ１２に格納されたＯＳやプログラムを実行することにより、種々の機能を実現する。すなわち、拠点サーバ１のＣＰＵ１１は、図５の（１）に示すように、第１格納処理部１１１，算出部１１２，判定部１１３及び通知部１１４として機能する。また、避難所サーバ２のＣＰＵ２１は、図５の（２）に示すように、第２格納処理部２１１として機能する。更に、自治体サーバ７のＣＰＵ７１は、図５の（３）に示すように、第３格納処理部７１１として機能する。
【００６１】
なお、拠点サーバ１における第１格納処理部１１１，算出部１１２，判定部１１３及び通知部１１４としての機能、避難所サーバ２における第２格納処理部２１１としての機能、又は、自治体サーバ７における第３格納処理部７１１としての機能を実現するためのプログラムは、例えば前述した記録媒体１６０に記録された形態で提供される。そして、コンピュータは読み書き処理部１６を介してその記録媒体１６０からプログラムを読み取って内部記憶装置または外部記憶装置に転送し格納して用いる。また、そのプログラムを、例えば磁気ディスク，光ディスク，光磁気ディスク等の記憶装置（記録媒体）に記録しておき、その記憶装置から通信経路を介してコンピュータに提供してもよい。
【００６２】
拠点サーバ１における第１格納処理部１１１，算出部１１２，判定部１１３及び通知部１１４としての機能、避難所サーバ２における第２格納処理部２１１としての機能、又は、自治体サーバ７における第３格納処理部７１１としての機能を実現する際には、内部記憶装置に格納されたプログラムがコンピュータのマイクロプロセッサによって実行される。このとき、記録媒体１６０に記録されたプログラムをコンピュータが読み取って実行してもよい。なお、本実施形態において、内部記憶装置はメモリ１２であり、マイクロプロセッサはＣＰＵ１１，２１又は７１である。
【００６３】
例示的に、ＣＰＵ１１は拠点サーバ１全体の動作を制御し、ＣＰＵ２１は避難所サーバ２全体の動作を制御し、ＣＰＵ７１は自治体サーバ７全体の動作を制御する。拠点サーバ１，避難所サーバ２又は自治体サーバ７全体の動作を制御するための装置は、ＣＰＵ１１，２１又は７１に限定されず、例えば、ＭＰＵやＤＳＰ，ＡＳＩＣ，ＰＬＤ，ＦＰＧＡのいずれか１つであってもよい。また、拠点サーバ１，避難所サーバ２又は自治体サーバ７全体の動作を制御するための装置は、ＣＰＵ，ＭＰＵ，ＤＳＰ，ＡＳＩＣ，ＰＬＤ及びＦＰＧＡのうちの２種類以上の組み合わせであってもよい。
【００６４】
拠点サーバ１において、図５の（１）に示す第１格納処理部１１１は、記憶装置１４に対して、アレルゲン有無在庫情報ＤＢ１０２（図８等を用いて後述）を格納する。
【００６５】
拠点サーバ１において、図５の（１）に示す算出部１１２は、判定部１１３による避難者９１への提供可能な食料品９３の判定のために、種々の計算を実行する。
【００６６】
算出部１１２は、避難所に存在する避難者９１の家族アレルギー食品情報（図９等を用いて後述）と家族構成情報（図１０等を用いて後述）とを収集する収集部の一例として機能する。また、算出部１１２は、家族構成情報によって特定される家族に属する避難者９１のそれぞれについて共通する家族アレルギー食品情報を特定する特定部の一例として機能する。
【００６７】
なお、算出部１１２によって実行される計算については、図１２等を用いて後述する。
【００６８】
拠点サーバ１において、図５の（１）に示す判定部１１３は、算出部１１２による計算結果に基づき、避難者９１への提供可能な食料品９３を判定する。
【００６９】
すなわち、判定部１１３は、特定された家族アレルギー食品情報と、避難者９１に存在する食料品９３の数量とに基づいて、避難者９１に配布可能な食料品９３を判定する。
【００７０】
なお、判定部１１３による避難者９１への提供可能な食料品９３の判定については、図１３等を用いて後述する。
【００７１】
拠点サーバ１において、図５の（１）に示す通知部１１４は、判定部１１３によって避難者９１への提供が可能であると判定された食料品９３に関する情報を、避難所サーバ２を介してリクエスト受付端末４に通知する。
【００７２】
避難所サーバ２において、図５の（２）に示す第２格納処理部２１１は、記憶装置１４に対して、アレルゲン有無在庫情報ＤＢ１０２（図８等を用いて後述），家族アレルギー食品情報ＤＢ２０２（図９等を用いて後述）及び家族構成情報ＤＢ２０３（図１０等を用いて後述）を格納する。
【００７３】
自治体サーバ７において、図５の（３）に示す第３格納処理部７１１は、記憶装置１４に対して、家族アレルギー食品情報ＤＢ２０２（図９等を用いて後述）及び家族構成情報ＤＢ２０３（図１０等を用いて後述）を格納する。
【００７４】
図６は、図１に示した情報処理システム１００のシステム構成の具体例を模式的に示すブロック図である。
【００７５】
自治体サーバ７は、サーバＰＧ７０１，家族アレルギー食品情報ＤＢ２０２及び家族構成情報ＤＢ２０３を保持する。
【００７６】
サーバＰＧ７０１は、自治体サーバ７を動作させるための種々のプログラムである。
【００７７】
自治体サーバ７が保持する家族アレルギー食品情報ＤＢ２０２は、自治体サーバ７を保有する自治体の住民から予め提供された、家族毎の食品アレルギーに関する情報を含む。
【００７８】
自治体サーバ７が保持する家族構成情報ＤＢ２０３は、自治体サーバ７を保有する自治体の住民から予め提供された、各家族の構成員についての氏名や生年月日等を含む。
【００７９】
食料品登録端末６は、入荷登録システム６０１を保持する。
【００８０】
入荷登録システム６０１は、図１に示した配布食料品保管棚９４に入荷された食料品９３をデータベースとして登録するためのプログラムである。
【００８１】
拠点サーバ１は、サーバＰＧ１０１及びアレルゲン有無在庫情報ＤＢ１０２を保持する。
【００８２】
サーバＰＧ１０１は、拠点サーバ１を動作させるための種々のプログラムである。
【００８３】
拠点サーバ１が保持するアレルゲン有無在庫情報ＤＢ１０２は、図１に示した配布食料品保管棚９４及び避難所に存在する食料品９３についての食物アレルギーに関する情報を含む。
【００８４】
個人情報入力端末３は、個人情報３０１及び家族構成情報３０２の入力を避難者９１から受け付ける。
【００８５】
個人情報３０１は、避難者９１の氏名や生年月日，生体情報等を含む。
【００８６】
家族構成情報３０２は、避難所に避難してきた避難者９１の個人情報３０１を家族毎にグループ化した情報である。
【００８７】
避難所サーバ２は、サーバＰＧ２０１，アレルゲン有無在庫情報ＤＢ１０２，家族アレルギー食品情報ＤＢ２０２及び家族構成情報ＤＢ２０３を保持する。
【００８８】
サーバＰＧ２０１は、避難所サーバ２を動作させるための種々のプログラムである。
【００８９】
避難所サーバ２に保持されるアレルゲン有無在庫情報ＤＢ１０２は、避難所に存在する食料品９３についての食物アレルギーに関する情報を含む。避難所に存在する食料品９３の登録は、例えば、図１に示した配布食料品表示端末５によって実行されてよい。
【００９０】
避難所サーバ２に保持される家族アレルギー食品情報ＤＢ２０２は、個人情報入力端末３に登録された家族構成情報３０２に基づき、自治体サーバ７から取得される。
【００９１】
避難所サーバ２に保持される家族構成情報ＤＢ２０３は、個人情報入力端末３に登録された家族構成情報３０２に基づき、自治体サーバ７から取得される。
【００９２】
図７は、図１に示した情報処理システム１００における処理を説明するブロック図である。
【００９３】
配布食料品表示端末５は、拠点サーバ１が保持するアレルゲン有無在庫情報ＤＢ１０２に対して、図１に示した配布食料品保管棚９４に保管されている食料品９３の食品アレルギーに関する情報を登録する（符号Ａ１参照）。
【００９４】
個人情報入力端末３は、避難者９１から入力された個人情報３０１及び家族構成情報３０２に基づき、避難所サーバ２に対して、避難者９１の登録を実施する（符号Ａ２参照）。
【００９５】
避難所サーバ２は、拠点サーバ１が保持するアレルゲン有無在庫情報ＤＢ１０２に基づき、避難所に存在する食料品９３について、アレルゲン有無在庫情報ＤＢ１０２を保持する。
【００９６】
また、避難所サーバ２は、個人情報入力端末３から登録された個人情報３０１及び家族構成情報３０２に基づき、自治体サーバ７から家族アレルギー食品情報ＤＢ２０２及び家族構成情報ＤＢ２０３を取得して保持する。
【００９７】
リクエスト受付端末４は、避難者９１から個人情報３０１の入力を受け付ける。
【００９８】
拠点サーバ１は、リクエスト受付端末４によって個人情報３０１の入力が受け付けられると、避難者９１の家族に提供可能な食料品９３を判定する。そして、拠点サーバ１は、避難所サーバ２を介して、判定した提供可能な食料品９３をリクエスト受付端末４に提示する（符号Ａ３参照）。
【００９９】
リクエスト受付端末４は、避難者９１からの入力に基づき、拠点サーバ１から提示された食料品９３の中から、リクエストする食料品９３を選定する（符号Ａ４参照）。
【０１００】
避難所サーバ２は、リクエスト受付端末４からの食料品９３の選定に基づき、配布する食料品９３を確定し（符号Ａ５参照）、アレルゲン有無在庫情報ＤＢ１０２において配布した食料品９３の在庫数を更新する（符号Ａ６参照）。
【０１０１】
そして、リクエスト受付端末４を操作する避難者９１に対して、食料品９３が提供される（符号Ａ７参照）。
【０１０２】
図８は、図１に示した情報処理システム１００におけるアレルゲン有無在庫情報ＤＢ１０２を例示するテーブルである。
【０１０３】
アレルゲン有無在庫情報ＤＢ１０２は、ＩＤ，食料品名，在庫数，棚番及びアレルゲンを対応付けて保持してよい。図示する例において、アレルゲンは、「乳」，「卵」，「小麦」，「そば」，「落花生」及び「えび」である。
【０１０４】
図８に示す例において、例えば、ＩＤ「ＡＡ００１」は、食料品名「山菜おこわ」であり、在庫数が「１８個」であり、棚番「Ａ−１」に保管されており、いずれのアレルゲンも含まない。また、例えば、ＩＤ「ＡＡ００２」は、食料品名「親子丼」であり、在庫数が「５個」であり、棚番「Ｂ−２」に保管されており、アレルゲンとして「卵」を含む。更に、例えば、ＩＤ「ＡＡ００３」は、食料品名「卵ガレット」であり、在庫数が「１０個」であり、棚番「Ｃ−３」に保管されており、アレルゲンとして「卵」及び「そば」を含む。
【０１０５】
図９の（１）〜（５）は、図１に示した情報処理システム１００における家族アレルギー食品情報ＤＢ２０２を例示するテーブルである。
【０１０６】
図９の（１）には「佐藤」家族の家族アレルギー食品情報（「第１情報」と称されてもよい。）が示されており、図９の（２）には「鈴木」家族の家族アレルギー食品情報が示されており、図９の（３）には「小林」家族の家族アレルギー食品情報が示されている。また、図９の（４）には「岡村」家族の家族アレルギー食品情報が示されており、図９の（５）には「浜田」家族の家族アレルギー食品情報が示されている。
【０１０７】
家族アレルギー食品情報ＤＢ２０２は、家族毎に、家族の各構成員について、姓，名，認証データ，生年月日及びアレルゲンを対応付けて保持してよい。図示する例において、アレルゲンは、「乳」，「卵」，「小麦」，「そば」，「落花生」及び「えび」である。
【０１０８】
なお、認証データには、国が定める個人番号等の個人を特定するために一意な番号が登録されてよい。また、図示する例において、各個人の生年月日の表示は省略している。
【０１０９】
例えば、図９の（１）に示す「佐藤」家の例においては、「太郎」は、認証データが「００１」であり、アレルゲンとして「卵」及び「そば」を有する。また、「花子」，「一郎」及び「二子」は、認証データがそれぞれ「００２」，「００３」及び「００４」であり、全員いずれのアレルゲンも有さない。
【０１１０】
そこで、図９の（１）に示す「佐藤」家の家族アレルギー食品情報においては、家族全員が食物アレルギーを有さない「乳」，「小麦」，「落花生」及び「えび」に限って含有する食品は、提供可能な食料品９３の候補として登録される。一方、家族の構成員のうち少なくとも１人が食物アレルギーを有する「卵」及び「そば」を含有する食品は、提供不可な食料品９３として登録される。
【０１１１】
また、例えば、図９の（４）に示す「岡村」家の例においては、「八輔」及び「九子」は、認証データがそれぞれ「０１０」及び「０１１」であり、全員いずれのアレルゲンも有さない。
【０１１２】
そこで、図９の（４）に示す「岡村」家の家族アレルギー食品情報においては、全てのアレルゲンを含有する食品について、提供可能な食料品９３の候補として登録される。
【０１１３】
図１０の（１）〜（５）は、図１に示した情報処理システム１００における家族構成情報ＤＢ２０３を例示するテーブルである。
【０１１４】
図１０の（１）には「佐藤」家族の家族構成情報３０２（「第２情報」と称されてもよい。）が示されており、図１０の（２）には「鈴木」家族の家族構成情報３０２が示されており、図１０の（３）には「小林」家族の家族構成情報３０２が示されている。また、図１０の（４）には「岡村」家族の家族構成情報３０２が示されており、図１０の（５）には「浜田」家族の家族構成情報３０２が示されている。
【０１１５】
家族構成情報ＤＢ２０３は、家族毎に、家族の各構成員について、姓，名，認証データ及び生年月日を対応付けて保持してよい。
【０１１６】
なお、認証データには、国が定める個人番号等の個人を特定するために一意な番号が登録されてよい。また、図示する例において、各個人の生年月日の表示は省略している。
【０１１７】
例えば、図１０の（１）に示す「佐藤」家の例においては、「太郎」，「花子」，「一郎」及び「二子」は、認証データがそれぞれ「００１」，「００２」，「００３」及び「００４」である。
【０１１８】
また、例えば、図１０の（４）に示す「岡村」家の例においては、「八輔」及び「九子」は、認証データがそれぞれ「０１０」及び「０１１」である。
【０１１９】
図１１は、図１に示した情報処理システム１００における提供可能食料品テーブルを例示する図である。
【０１２０】
図１１に示す提供可能食料品テーブルは、図８に示したアレルゲン有無在庫情報ＤＢ１０２と、図９に示した家族アレルギー食品情報ＤＢ２０２とに基づいて、作成される。
【０１２１】
例えば、図９に示した例において、「佐藤」家の構成員は、４人であり、アレルゲンとして「卵」及び「そば」を有する。そこで、「佐藤」家には、図８に示した例において、アレルゲンが無いＩＤ「ＡＡ００１」で特定される「山菜おこわ」と、アレルゲンが「小麦」であるＩＤ「ＡＡ００４」及び「ＡＡ００５」でそれぞれ特定される「五目ごはん」及び「チキンライス」とが、提供可能な食料品９３の候補として表示される。また、アレルゲンが「落花生」であるＩＤ「ＡＡ００６」で特定される「ピーナッツあられ」と、アレルゲンが「えび」であるＩＤ「ＡＡ００７」で特定される「えびせんべい」とが、提供可能な食料品９３の候補として表示される。更に、アレルゲンが「乳」であるＩＤ「ＡＡ００８」及び「ＡＡ００９」でそれぞれ特定される「ＬＬ牛乳」及び「ミルクスティック」と、アレルゲンが「乳」，「卵」及び「小麦」であるＩＤ「ＡＡ０１０」で特定される「長期保存パン」とも、提供可能な食料品９３の候補として表示される。なお、「ＬＬ牛乳」は、「ロングライフ牛乳」の略称である。
【０１２２】
また、例えば、図９に示した例において、「岡村」家の構成員は、２人であり、いずれのアレルゲンも有さない。そこで、「岡村」家には、図８に例示した全ての食料品９３が、提供可能な食料品９３の候補として表示される。
【０１２３】
図１２は、図１に示した情報処理システム１００における提供可能食料品割合テーブルの第１の例を示す図である。
【０１２４】
提供可能な食料品割合テーブルには、食料品９３の各品目に対して、各家族における提供可能な食料品割合と、提供可能な食料品割合の合計と、提供可能な家族数の割合と、提供可能な食料品数の割合と、閾値とが、対応付けられている。
【０１２５】
各家族における提供可能な食料品９３の割合は、各家族における１品目の重要度と称されてもよく、各家族に提供可能な食料品９３の品目数の逆数によって算出される。
【０１２６】
例えば、ＩＤ「ＡＡ００１」の「山菜おこわ」は、アレルゲンを含有していない（図８参照）。従って、ＩＤ「ＡＡ００１」の「山菜おこわ」は、「佐藤」家，「鈴木」家，「小林」家，「岡村」家及び「浜田」家の全家族に提供可能である（図９の（１）〜（５）参照）。
【０１２７】
また、例えば、ＩＤ「ＡＡ００２」の「卵」は、アレルゲンとして「卵」を含有している（図８参照）。従って、ＩＤ「ＡＡ００２」の「卵」は、「佐藤」家，「鈴木」家及び「浜田」家には提供不可である一方、「小林」家及び「岡村」家には提供可能である（図９の（１）〜（５）参照）。
【０１２８】
そして、図１２に示す例において、「佐藤」家にはＩＤ「ＡＡ００１」及び「ＡＡ００４」〜「ＡＡ００９」の７品目が提供可能であり、「鈴木」家にはＩＤ「ＡＡ００１」，「ＡＡ００６」及び「ＡＡ００７」の３品目が提供可能である。また、「小林」家にはＩＤ「ＡＡ００１」〜「ＡＡ００５」及び「ＡＡ００８」〜「ＡＡ０１０」の８品目が提供可能であり、「岡村」家にはＩＤ「ＡＡ００１」〜「ＡＡ０１０」の全１０品目が提供可能である。更に、「浜田」家にはＩＤ「ＡＡ００１」，「ＡＡ００８」及び「ＡＡ００９」の３品目が提供可能である。
【０１２９】
各家族の提供可能な食料品９３の欄には、当該家族に提供可能な食料品９３の品目数の逆数がそれぞれ登録される。図１２に示す例では、提供可能な食料品９３の欄に対して、「佐藤」家には「１／７（０．１４３）」がそれぞれ登録され、「鈴木」家には「１／３（０．３３３）」がそれぞれ登録され、「小林」家には「１／８（０．１２５）」がそれぞれ登録される。また、提供可能な食料品９３の欄に対して、「岡村」家には「１／１０（０．１）」がそれぞれ登録され、「浜田」家には「１／３（０．３３３）」が登録される。
【０１３０】
すなわち、図５の（１）に示した拠点サーバ１の算出部１１２は、家族毎に、避難所に存在する食料品９３のうち、家族内において共通して摂取可能な食料品９３の品目数を算出する第１算出部の一例として機能する。
【０１３１】
提供可能な食料品割合の合計は、各家族における提供可能な食料品割合を足し合わせた値である。
【０１３２】
図１２に示す例において、例えば、ＩＤ「ＡＡ００１」の「山菜おこわ」では、「佐藤」，「鈴木」，「小林」，「岡村」及び「浜田」の各家族における提供可能な食料品割合を足し合わせた「１．０３４」が登録される。また、例えば、ＩＤ「ＡＡ００２」の「親子丼」では、「小林」及び「岡村」の各家族における提供可能な食料品割合を足し合わせた「０．２２５」が登録される。
【０１３３】
提供可能な食料品割合の平均は、提供可能な食料品割合の合計を、提供可能な家族数で除算した値である。
【０１３４】
図１２に示す例において、例えば、ＩＤ「ＡＡ００１」の「山菜おこわ」では、提供可能な食料品割合の合計「１．０３４」を、提供可能な家族数「５」で除算した「０．２０７」が登録される。また、例えば、ＩＤ「ＡＡ００２」の「親子丼」では、提供可能な食料品割合の合計「０．２２５」を、提供可能な家族数「２」で除算した「０．１１３」が登録される。
【０１３５】
すなわち、図５の（１）に示した拠点サーバ１の算出部１１２は、対象の食料品９３を提供可能な家族について、品目数の逆数の平均値を算出する第２算出部の一例として機能する。
【０１３６】
提供可能な家族の割合は、対象の食料品９３を提供可能な家族の数を、避難所に存在する全家族の数で除算した値である。
【０１３７】
図１２に示す例において、例えば、ＩＤ「ＡＡ００１」の「山菜おこわ」では、提供可能な家族の数「５」を、全家族の数「５」で除算した「１」が登録される。また、例えば、ＩＤ「ＡＡ００２」の「親子丼」では、提供可能な家族の数「２」を、全家族の数「５」で除算した「０．４」が登録される。
【０１３８】
すなわち、図５の（１）に示した拠点サーバ１の算出部１１２は、避難所に存在する家族の数に対する、対象の食料品９３を提供可能な家族の数の第１の割合を算出する第３算出部の一例として機能する。
【０１３９】
提供可能な食料品数の割合は、対象の食料品９３を提供可能な家族に属する構成員の合計を、避難所に存在する対象の食料品９３の数で除算した値である。
【０１４０】
図１２に示す例において、例えば、ＩＤ「ＡＡ００１」の「山菜おこわ」では、提供可能な「佐藤」，「鈴木」，「小林」，「岡村」及び「浜田」の各家族の構成員の合計「１２」を、図８に示した「山菜おこわ」の在庫数「１８」で除算した値「１２／１８（０．６６７）」が登録される。また、例えば、ＩＤ「ＡＡ００２」の「親子丼」では、提供可能な「小林」及び「岡村」の各家族の構成員の合計「４」を、図８に示した「親子丼」の在庫数「５」で除算した値「４／５（０．８）」が登録される。
【０１４１】
すなわち、図５の（１）に示した拠点サーバ１の算出部１１２は、避難所に存在する対象の食料品９３の数に対する、当該対象の食料品９３を提供可能な家族に属する避難者９１の合計数の第２の割合を算出する第４算出部の一例として機能する。
【０１４２】
閾値は、不足しないことが予測される食料品９３を優先して、配布可能な食料品９３として避難者９１に提示するための値である。
【０１４３】
提供可能な食料品割合の平均をｘとし、提供可能な家族数の割合をｙとし、提供可能な食料品数の割合をｚとする場合に、閾値は次の式（１）によって表わされる。
【０１４４】
【数１】
2019197264.tif 000003
図１２に示す例において、例えば、ＩＤ「ＡＡ００１」の「山菜おこわ」では、閾値は、次の式（２）によって表わされる。
【０１４５】
【数２】
2019197264.tif 000004
また、例えば、ＩＤ「ＡＡ００２」の「親子丼」では、閾値は、次の式（３）によって表わされる。
【０１４６】
【数３】
2019197264.tif 000005
すなわち、図５の（１）に示した拠点サーバ１の算出部１１２は、提供可能な食料品割合の平均と、提供可能な家族数の割合と、提供可能な食料品数の割合とに基づき、閾値を算出する第５算出部の一例として機能する。
【０１４７】
図１３は、図１に示した情報処理システム１００における提供可能食料品選定結果テーブルの第１の例を示す図である。
【０１４８】
提供可能食料品選定結果テーブルでは、対象の食料品９３について、図１２に示した提供可能食料品割合テーブルにおいて提供可能な食料品割合が閾値以上である家族に対して、家族の人数を示す値が登録される。別言すれば、或る家族にとっての対象の食料品９３の重要度が閾値以上である場合に、当該家族に対して、対象の食料品９３が提供可能な食料品９３として提示される。
【０１４９】
図１３に示す例において、例えば、ＩＤ「ＡＡ００１」の「山菜おこわ」では、図１２の提供可能食料品割合テーブルにおいて「鈴木」及び「浜田」の各家族における提供可能な食料品割合はいずれも「０．３３３」であり、閾値「０．２４９」以上である。そこで、図１３に示す提供可能食料品選定結果テーブルにおいて、「鈴木」家の３人及び「浜田」家の１人に対して、ＩＤ「ＡＡ００１」の「山菜おこわ」が提供可能であることが示される。
【０１５０】
また、ＩＤ「ＡＡ００２」の「親子丼」では、図１２の提供可能食料品割合テーブルにおいて「小林」家における提供可能な食料品割合は「０．１２５」であり、閾値「０．１０１」以上である。そこで、図１３に示す提供可能食料品選定結果テーブルにおいて、「小林」家の２人に対して、ＩＤ「ＡＡ００２」の「親子丼」が提供可能であることが示される。
【０１５１】
すなわち、判定部１１３は、家族内で共通して摂取可能な食料品９３の品目数の逆数が閾値以上である対象の食料品９３を、配布可能な食料品９３として判定する。別言すれば、判定部１１３は、配布可能な食料品９３の提示対象である避難者９１が属する家族について特定された家族アレルギー食品情報と、他の家族について特定された家族アレルギー食品情報と、避難所に存在する食料品９３の数量とに基づいて、不足しないことが予測される物品を優先して、配布可能な食料品９３として判定する。
【０１５２】
図１４は、図１に示した情報処理システム１００における提供可能食料品割合テーブルの第２の例を示す図である。また、図１５は、図１に示した情報処理システム１００における提供可能食料品選定結果テーブルの第２の例を示す図である。
【０１５３】
図１４及び図１５においては、一部の食料品９３が在庫数不足で避難者９１に提供できない例を示している。
【０１５４】
図１４に示す提供可能食料品割合テーブルにおいては、下線で示すように、図１２に示した提供可能食料品割合テーブルと比べて、ＩＤ「ＡＡ００３」，「ＡＡ００７」及び「ＡＡ００９」の食料品９３における在庫数が、「３」，「５」及び「５」にそれぞれ減少されている。
【０１５５】
これにより、図１４に示す提供可能食料品割合テーブルにおいては、下線で示すように、ＩＤ「ＡＡ００３」，「ＡＡ００７」及び「ＡＡ００９」の食料品９３における提供可能な食料品数の割合が、それぞれ「４／３（１．３３３）」，「９／５（１．８）」及び「９／５（１．８）」となる。
【０１５６】
更に、図１４に示す提供可能食料品割合テーブルにおいては、下線で示すように、ＩＤ「ＡＡ００３」，「ＡＡ００７」及び「ＡＡ００９」の食料品９３における閾値が、それぞれ「０．１５７」，「０．３６４」及び「０．３４５」となる。
【０１５７】
図１４に示す提供可能食料品割合テーブルにおいて、ＩＤ「ＡＡ００３」の「卵ガレット」の閾値「０．１５７」は、「小林」及び「岡村」の各家族におけるそれぞれの提供可能な食料品割合「０．１２５」及び「０．１」よりも大きい。また、ＩＤ「ＡＡ００７」の「えびせんべい」の閾値「０．３６４」は、「佐藤」，「鈴木」及び「岡村」の各家族におけるそれぞれの提供可能な食料品割合「０．１４３」，「０．３３３」及び「０．１」よりも大きい。更に、ＩＤ「ＡＡ００９」の「ミルクスティック」の閾値「０．３４５」は、「佐藤」，「小林」，「岡村」及び「浜田」の各家族におけるそれぞれの提供可能な食料品割合「０．１４３」，「０．１２５」，「０．１」及び「０．３３３」よりも大きい。
【０１５８】
そこで、図１５に例示する提供可能食料品選定結果テーブルでは、ＩＤ「ＡＡ００３」の「卵ガレット」と、ＩＤ「ＡＡ００７」の「えびせんべい」と、ＩＤ「ＡＡ００９」の「ミルクスティック」とは、いずれの家族にも配布されないように空欄に設定される。
【０１５９】
図１６の（１）は、図２に示したリクエスト受付端末４における家族構成表示画面４００の第１の表示例を示す図である。
【０１６０】
避難者９１がリクエスト受付端末４において個人認証を完了させると、リクエスト受付端末４の表示装置３３０において、図１６の（１）に示す家族構成表示画面４００が表示されてよい。
【０１６１】
図１６の（１）に示す例では、家族構成表示画面４００には、「佐藤」家の家族構成が表示されており、構成員表示アイコン４０１，配布可否表示アイコン４０２及び画面遷移ボタン４０３を含む。
【０１６２】
構成員表示アイコン４０１は、家族の構成員のうち食料品９３を未配布の構成員について、例えば白色で表示される。図１６の（１）における例では、「佐藤」家の構成員である「父」，「母」，「長男」及び「次男」の全員について、食料品９３が未配布であることを示している。
【０１６３】
配布可否表示アイコン４０２は、食料品９３の配布対象の家族に対して、食料品９３を配布可能であるかを示す。図１６の（１）における例では、「佐藤」家に対して食料品９３が配布可能であるため、配布可否表示アイコン４０２には、「配布可」と表示されている。なお、食料品９３を配布済み等の理由により、食料品９３を配布できない場合には、配布可否表示アイコン４０２には、例えば「配布不可」と表示されてよい。
【０１６４】
画面遷移ボタン４０３は、避難者９１が選択することにより、家族構成表示画面４００が次の画面であるリクエスト数入力画面４１０（図１７を用いて後述）に遷移する。なお、食料品９３を配布済み等の理由により、食料品９３を配布できない場合には、画面遷移ボタン４０３は、非表示にされてよく、または、表示されているが選択できないように設定されてよい。
【０１６５】
図１６の（２）は、図２に示したリクエスト受付端末４における家族構成表示画面４００の第２の表示例を示す図である。
【０１６６】
図１６の（２）に示す例では、「佐藤」家の「次男」が、「佐藤」家の他の構成員よりも先に避難所に到着して単独で食料品９３の配布を受けた等の理由で、「次男」に限って食料品９３を配布できない場合を示している。
【０１６７】
図１６の（２）に示す例では、「次男」の構成員表示アイコン４０１は、食料品９３を配布不可であることが判別できるように、例えば黒色で表示されている。
【０１６８】
また、図１６の（２）に示す例では、図１６の（１）に示した配布可否表示アイコン４０２の代わりに、ポップアップ４０４が表示されている。ポップアップ４０４は、家族の個別の構成員についての食料品９３の配布の可否を表示する。図１６の（２）に示す例では、ポップアップ４０４は、「次男」について、「今回分配布済みのため配布できません」と表示されている。
【０１６９】
避難者９１が画面遷移ボタン４０３を選択した場合には、「次男」以外の「佐藤」家の構成員である「父」，「母」及び「長男」について、配布可能な食料品９３が提示される。
【０１７０】
図１７は、図２に示したリクエスト受付端末４におけるリクエスト数入力画面４１０の表示例を示す図である。
【０１７１】
リクエスト数入力画面４１０は、メッセージ４０５，提供可能食料品一覧４０６，数量入力ボックス４０７，合計数量表示ボックス４０８及び画面遷移ボタン４０９を含む。
【０１７２】
メッセージ４０５には、配布対象の家族に提供できる食料品９３の合計数量や、配布対象の家族の構成員が有する食物アレルギーが含まれる。図１７に示す例では、「提供可能な食料品の数量は、合計４個です。佐藤さんご家族に提供できる、卵／そばが含まれていない食料品は以下の通りです。欲しい数量を選択してください。」と表示されている。
【０１７３】
提供可能食料品一覧４０６には、提供可能な食料品９３のＩＤ及び食料品名が表示される。図１７に示す例においては、ＩＤ「ＡＡ００４」，「ＡＡ００５」，「ＡＡ００７」及び「ＡＡ００９」でそれぞれ示される「五目ごはん」，「チキンライス」，「えびせんべい」及び「ミルクスティック」が示されている。
【０１７４】
数量入力ボックス４０７には、提供可能食料品一覧４０６に表示されている各食料品９３のうち、避難者９１が受け取りを希望する食料品９３の数量が入力される。数量入力ボックス４０７には、例えば、プルダウンによって、数字を選択できるように設定されてよい。図１７に示す例では、「佐藤」家の構成員が４人であるため、各数量入力ボックス４０７には、「０」〜「４」の値が入力できるように設定されている。すなわち、提供可能な食料品９３の合計数量の範囲内であれば、１つの家族内で複数品目の食料品９３が選択されてもよい。
【０１７５】
合計数量表示ボックス４０８は、各数量入力ボックス４０７に入力された数量の合計値を表示する。各数量入力ボックス４０７に入力された数量の合計値が提供可能な食料品９３の数量を上回った場合には、リクエスト数入力画面４１０において、警告が表示されてよい。
【０１７６】
画面遷移ボタン４０９は、避難者９１によって選択されることにより、リクエスト数入力画面４１０を次の画面に遷移させる。
【０１７７】
〔Ａ−２〕動作例
図１に示した情報処理システム１００における食料品登録処理を、図１８に示すフローチャート（ステップＳ１〜Ｓ４）に従って説明する。
【０１７８】
拠点サーバ１の第１格納処理部１１１は、食料品登録端末６から、アレルゲン有無在庫情報を取得する（ステップＳ１）。
【０１７９】
第１格納処理部１１１は、拠点サーバ１が保持するアレルゲン有無在庫情報ＤＢ１０２に取得したアレルゲン有無在庫情報に関するデータがあるかを判定する（ステップＳ２）。
【０１８０】
アレルゲン有無在庫情報ＤＢ１０２にデータがない場合（ステップＳ２のＮｏルート参照）、すなわち、新たな品目についてのアレルゲン有無在庫情報を取得した場合には、処理はステップＳ３へ進む。第１格納処理部１１１は、アレルゲン有無在庫情報ＤＢ１０２に取得したアレルゲン有無在庫情報のデータを追加する（ステップＳ３）。そして、処理はステップＳ４へ進む。
【０１８１】
一方、アレルゲン有無在庫情報ＤＢ１０２にデータがある場合（ステップＳ２のＹｅｓルート参照）、すなわち、既に在庫がある品目について在庫数が変更されたことを示すアレルゲン有無在庫情報を取得した場合には、処理はステップＳ４へ進む。第１格納処理部１１１は、取得したアレルゲン有無在庫情報に基づいて対象の食料品９３の在庫量を変更する等により、アレルゲン有無在庫情報ＤＢ１０２を更新する（ステップＳ４）。そして、処理は終了する。
【０１８２】
避難所サーバ２の第２格納処理部２１１は、拠点サーバ１が保持するアレルゲン有無在庫情報ＤＢ１０２におけるデータのうち、避難所に存在する食料品９３に関するデータを、拠点サーバ１から取得する。
【０１８３】
次に、図１に示した情報処理システム１００における避難者登録処理を、図１９に示すフローチャート（ステップＳ１１〜Ｓ１５）に従って説明する。
【０１８４】
避難所サーバ２の第２格納処理部２１１は、個人情報入力端末３から、個人情報３０１及び避難家族の家族構成情報３０２を取得する（ステップＳ１１）。
【０１８５】
第２格納処理部２１１は、自治体サーバ７において、避難家族に関するデータがあるかを判定する（ステップＳ１２）。
【０１８６】
自治体サーバ７にデータがある場合には（ステップＳ１２のＹｅｓルート参照）、第２格納処理部２１１は、自治体サーバ７から、避難家族分のデータを抽出する（ステップＳ１３）。そして、処理はステップＳ１５へ進む。
【０１８７】
一方、自治体サーバ７にデータがない場合には（ステップＳ１２のＮｏルート参照）、第２格納処理部２１１は、個人情報入力端末３から、避難家族分の詳細なデータの入力を受け付ける（ステップＳ１４）。
【０１８８】
第２格納処理部２１１は、自治体サーバ７が保持する家族アレルギー食品情報ＤＢ２０２及び家族構成情報ＤＢ２０３に基づき、避難家族の家族アレルギー食品情報ＤＢ２０２及び家族構成情報ＤＢ２０３を作成する（ステップＳ１５）。そして、処理は終了する。
【０１８９】
次に、図１に示した情報処理システム１００における食料品配布処理を、図２０に示すフローチャート（ステップＳ２１〜Ｓ２８）に従って説明する。
【０１９０】
リクエスト受付端末４の第２受付処理部４１１は、個人情報３０１の入力を受け付ける（ステップＳ２１）。
【０１９１】
リクエスト受付端末４の第２表示処理部４１２は、個人情報入力端末３の表示装置３３０において、食料品９３の受け取り対象者を表示する（ステップＳ２２）。
【０１９２】
拠点サーバ１の算出部１１２及び判定部１１３は、避難所サーバ２が保有するアレルゲン有無在庫情報ＤＢ１０２の中から、該当アレルゲンの無い食料品９３を選定する（ステップＳ２３）。なお、ステップＳ２３における処理の詳細は、図２１を用いて後述する。
【０１９３】
判定部１１３は、選定された食料品９３の中に、提供可能な食料品９３があるかを判定する（ステップＳ２４）。
【０１９４】
提供可能な食料品９３がない場合には（ステップＳ２４のＮｏルート参照）、配布食料品表示端末５によって、拠点サーバ１のアレルゲン有無在庫情報ＤＢ１０２の中から、該当アレルゲンの無い食料品９３が手配される（ステップＳ２５）。そして、処理はステップＳ２４へ戻る。
【０１９５】
一方、提供可能な食料品９３がある場合には（ステップＳ２４のＹｅｓルート参照）、リクエスト受付端末４の第２表示処理部４１２は、避難者９１に提供可能な食料品９３を提示する（ステップＳ２６）。
【０１９６】
リクエスト受付端末４の第２受付処理部４１１は、提示された食料品９３の中からの避難者９１によるリクエストを受け付ける（ステップＳ２７）。
【０１９７】
第２受付処理部４１１は、生体情報等によって避難者９１の本人確認を実施し、避難者９１が希望する食料品９３が提供される（ステップＳ２８）。そして、処理は終了する。
【０１９８】
次に、図１に示した情報処理システム１００における食料品選定処理を、図２１に示すフローチャート（ステップＳ３１〜Ｓ４２）に従って説明する。
【０１９９】
拠点サーバ１の判定部１１３は、避難所サーバ２が保有する家族アレルギー食品情報ＤＢ２０２及びアレルゲン有無在庫情報ＤＢ１０２を参照し、食料品９３のＩＤ毎に、提供可否を判定する（ステップＳ３１）。
【０２００】
拠点サーバ１の算出部１１２は、家族毎に、全食料品９３の中から、提供可能な食料品割合を算出する（ステップＳ３２）。
【０２０１】
算出部１１２は、食料品９３毎に、各家族に提供可能な食料品割合の合計を算出する（ステップＳ３３）。
【０２０２】
算出部１１２は、食料品９３毎に、提供可能な家族数について、食料品割合の平均値を算出する（ステップＳ３４）。
【０２０３】
算出部１１２は、食料品９３毎に、全家族に対する提供可能な家族数の割合を算出する（ステップＳ３５）。
【０２０４】
算出部１１２は、食料品９３毎に、在庫に対する提供可能な食料品数の割合を算出する（ステップＳ３６）。
【０２０５】
算出部１１２は、食料品割合の平均値と、提供可能な家族数の割合と、提供可能な食料品数の割合とに基づき、食料品９３毎に、閾値を算出する（ステップＳ３７）。
【０２０６】
判定部１１３は、提供可能な食料品９３の数が在庫数以上の食料品９３があるかを判定する（ステップＳ３８）。
【０２０７】
提供可能な食料品９３の数が在庫数以上の食料品９３がある場合には（ステップＳ３８のＹｅｓルート参照）、判定部１１３は、提供可能な食料品９３の数が在庫数以上の食料品９３を、配布食料品保管棚９４から手配する（ステップＳ３９）。
【０２０８】
一方、提供可能な食料品９３の数が在庫数以上の食料品９３がない場合には（ステップＳ３８のＮｏルート参照）、判定部１１３は、対象の家族に対して提供可能な食料品割合が閾値以上の食料品９３があるかを判定する（ステップＳ４０）。
【０２０９】
提供可能な食料品割合が閾値以上の食料品９３がある場合には（ステップＳ４０のＹｅｓルート参照）、拠点サーバ１の通知部１１４は、閾値以上の食料品９３に関する情報をリクエスト受付端末４に通知する（ステップＳ４１）。そして、処理は終了する。
【０２１０】
一方、提供可能な食料品割合が閾値以上の食料品９３がない場合には（ステップＳ４０のＮｏルート参照）、処理はステップＳ４２へ進む。通知部１１４は、閾値未満の食料品９３の中から、提供可能な食料品９３の数を在庫数で割った値が最も低い食料品９３に関する情報をリクエスト受付端末４に通知する（ステップＳ４２）。そして、処理は終了する。
【０２１１】
〔Ａ−３〕効果
上述した実施形態の一例における情報処理システム１００によれば、例えば、以下の作用効果を奏することができる。
【０２１２】
算出部１１２は、所定の場所に存在する避難者９１の家族アレルギー食品情報と家族構成情報とを収集する。また、算出部１１２は、家族構成情報によって特定されるグループに属する避難者９１のそれぞれについて共通する家族アレルギー食品情報を特定する。そして、判定部１１３及び通知部１１４は、特定された家族アレルギー食品情報と、所定の場所に存在する食料品９３の数量とに基づいて、避難者９１に配布可能な食料品９３を提示する。
【０２１３】
これにより、大衆に対する物品の配布を容易にすることができる。具体的には、多数の避難者９１に対する食料品９３の配布を容易にすることができる。
【０２１４】
判定部１１３及び通知部１１４は、家族に属する避難者９１全員について、配布可能な食料品９３を提示する。
【０２１５】
これにより、食物アレルギーに基づいた食料品９３の配布可否の判定が家族毎にできるため、家族内での食料品９３の受け渡しによる誤食を防止できる。
【０２１６】
判定部１１３及び通知部１１４は、配布可能な食料品９３の提示対象である避難者９１が属する家族について特定された家族アレルギー食品情報と、他の家族について特定された家族アレルギー食品情報と、所定の場所に存在する食料品９３の数量とに基づいて、不足しないことが予測される食料品９３を優先して、配布可能な食料品９３として提示する。
【０２１７】
これにより、食物アレルギーの原因となる食料品９３の品目が多い家族に対して、食料品９３が配布できないことを防止できる。
【０２１８】
算出部１１２は、家族毎に、所定の場所に存在する食料品９３のうち、共通して摂取可能な食料品９３の品目数の逆数を算出する。算出部１１２は、対象の食料品９３を提供可能な家族について、品目数の逆数の平均値を算出する。算出部１１２は、所定の場所に存在する家族の数に対する、対象の食料品９３を提供可能な家族の数の第１の割合を算出する。算出部１１２は、所定の場所に存在する対象の食料品９３の数に対する、当該対象の食料品９３を提供可能な家族に属する避難者９１の合計数の第２の割合を算出する。算出部１１２は、平均値と第１の割合と第２の割合とに基づき、閾値を算出する。判定部１１３及び通知部１１４は、共通して摂取可能な食料品９３の品目数の逆数が閾値以上である対象の食料品９３を、配布可能な食料品９３として提示する。
【０２１９】
これにより、不足しないことが予測される食料品９３を正確に判定できる。
【０２２０】
平均値をｘとし、第１の割合をｙとし、第２の割合をｚとする場合に、閾値は、
【０２２１】
【数４】
2019197264.tif 000006
によって、表わせる。
【０２２２】
これにより、正確に閾値を算出することができる。
【０２２３】
〔Ｂ〕その他
開示の技術は上述した実施形態に限定されるものではなく、本実施形態の趣旨を逸脱しない範囲で種々変形して実施することができる。本実施形態の各構成及び各処理は、必要に応じて取捨選択することができ、あるいは適宜組み合わせてもよい。
【０２２４】
上述した実施形態の一例では、食品アレルギーに基づいて避難者９１に配布可能な食料品９３が提示されたが、これに限定されるものではない。
【０２２５】
開示の技術を用いることにより、避難者９１の好み等に基づいて、避難者９１に配布可能な物品が提示されてもよい。
【０２２６】
また、開示の技術を用いることにより、イベント等の多人数が集まる場所において、配布可能な物品が提示されてもよい。
【０２２７】
なお、本明細書において、物品とは、食料品９３を含む有体物である。
【０２２８】
〔Ｃ〕付記
以上の実施形態及び変形例に関し、さらに以下の付記を開示する。
【０２２９】
（付記１）
コンピュータに、
所定の場所に存在するユーザの第１情報と第２情報とを収集し、
前記第２情報によって特定されるグループに属する前記ユーザのそれぞれについて共通する前記第１情報を特定し、
特定された前記第１情報と、前記所定の場所に存在する物品の数量とに基づいて、前記ユーザに配布可能な物品を提示する、
処理を実行させる、プログラム。
【０２３０】
（付記２）
前記グループに属するユーザ全員について、前記配布可能な物品を提示する、
処理を前記コンピュータに実行させる、付記１に記載のプログラム。
【０２３１】
（付記３）
前記配布可能な物品の提示対象である前記ユーザが属する前記グループについて特定された前記第１情報と、他のグループについて特定された前記第１情報と、前記所定の場所に存在する物品の数量とに基づいて、不足しないことが予測される物品を優先して、前記配布可能な物品として提示する、
処理を前記コンピュータに実行させる、付記１又は２に記載のプログラム。
【０２３２】
（付記４）
前記第１情報は、前記ユーザが持つ食物アレルギーに関する情報であり、
前記第２情報は、前記ユーザが属する家族に関する情報であり、
前記第２情報によって特定される前記家族に属する前記ユーザのそれぞれについて、食物アレルギーを有しないことにより、共通して摂取可能な食品を前記第１情報によって特定し、
特定した前記共通して摂取可能な食品と、前記所定の場所に存在する食品の数量とに基づいて、前記家族に前記配布可能な食品を提示する、
処理を前記コンピュータに実行させる、付記１〜３のいずれか１項に記載のプログラム。
【０２３３】
（付記５）
家族毎に、前記所定の場所に存在する食品のうち、前記共通して摂取可能な食品の品目数の逆数を算出し、
対象の食品を提供可能な家族について、前記品目数の逆数の平均値を算出し、
前記所定の場所に存在する家族の数に対する、前記対象の食品を提供可能な家族の数の第１の割合を算出し、
前記所定の場所に存在する前記対象の食品の数に対する、当該対象の食品を提供可能な家族に属するユーザの合計数の第２の割合を算出し、
前記平均値と前記第１の割合と前記第２の割合とに基づき、閾値を算出し、
前記共通して摂取可能な食品の品目数の逆数が前記閾値以上である前記対象の食品を、前記配布可能な食品として提示する、
処理を前記コンピュータに実行させる、付記４に記載のプログラム。
【０２３４】
（付記６）
前記平均値をｘとし、前記第１の割合をｙとし、前記第２の割合をｚとする場合に、前記閾値は、
【数５】
2019197264.tif 000007
によって、表わせる、
付記５に記載のプログラム。
【０２３５】
（付記７）
情報処理装置と、端末とを有し、
前記情報処理装置は、
所定の場所に存在するユーザの第１情報と第２情報とを収集する収集部と、
前記第２情報によって特定されるグループに属する前記ユーザのそれぞれについて共通する前記第１情報を特定する特定部と、
特定された前記第１情報と、前記所定の場所に存在する物品の数量とに基づいて、前記ユーザに配布可能な物品を判定する判定部と、
を備え、
前記端末は、
前記判定部によって判定された前記ユーザに配布可能な物品を提示する表示処理部
を備える、情報処理システム。
【０２３６】
（付記８）
前記判定部は、前記グループに属するユーザ全員について、前記配布可能な物品を判定する、
付記７に記載の情報処理システム。
【０２３７】
（付記９）
前記判定部は、前記配布可能な物品の提示対象である前記ユーザが属する前記グループについて特定された前記第１情報と、他のグループについて特定された前記第１情報と、前記所定の場所に存在する物品の数量とに基づいて、不足しないことが予測される物品を優先して、前記配布可能な物品として判定する、
付記７又は８に記載の情報処理システム。
【０２３８】
（付記１０）
前記第１情報は、前記ユーザが持つ食物アレルギーに関する情報であり、
前記第２情報は、前記ユーザが属する家族に関する情報であり、
前記特定部は、前記第２情報によって特定される前記家族に属する前記ユーザのそれぞれについて、食物アレルギーを有しないことにより、共通して摂取可能な食品を前記第１情報によって特定し、
前記判定部は、特定した前記共通して摂取可能な食品と、前記所定の場所に存在する食品の数量とに基づいて、前記家族に前記配布可能な食品を判定する、
付記７〜９のいずれか１項に記載の情報処理システム。
【０２３９】
（付記１１）
前記特定部は、
家族毎に、前記所定の場所に存在する食品のうち、前記共通して摂取可能な食品の品目数の逆数を算出する第１算出部と、
対象の食品を提供可能な家族について、前記品目数の逆数の平均値を算出する第２算出部と、
前記所定の場所に存在する家族の数に対する、前記対象の食品を提供可能な家族の数の第１の割合を算出する第３算出部と、
前記所定の場所に存在する前記対象の食品の数に対する、当該対象の食品を提供可能な家族に属するユーザの合計数の第２の割合を算出する第４算出部と、
前記平均値と前記第１の割合と前記第２の割合とに基づき、閾値を算出する第５算出部と、
を備え、
前記判定部は、前記共通して摂取可能な食品の品目数の逆数が前記閾値以上である前記対象の食品を、前記配布可能な食品として判定する、
付記１０に記載の情報処理システム。
【０２４０】
（付記１２）
前記平均値をｘとし、前記第１の割合をｙとし、前記第２の割合をｚとする場合に、前記閾値は、
【数６】
2019197264.tif 000008
によって、表わせる、
付記１１に記載の情報処理システム。
【０２４１】
（付記１３）
情報処理装置において、
所定の場所に存在するユーザの第１情報と第２情報とを収集し、
前記第２情報によって特定されるグループに属する前記ユーザのそれぞれについて共通する前記第１情報を特定し、
特定された前記第１情報と、前記所定の場所に存在する物品の数量とに基づいて、前記ユーザに配布可能な物品を判定し、
を備え、
端末において、
前記情報処理装置によって判定された前記ユーザに配布可能な物品を提示する、
配布管理方法。
【０２４２】
（付記１４）
前記情報処理装置において、
前記グループに属するユーザ全員について、前記配布可能な物品を判定する、
付記１３に記載の配布管理方法。
【０２４３】
（付記１５）
前記情報処理装置において、
前記配布可能な物品の提示対象である前記ユーザが属する前記グループについて特定された前記第１情報と、他のグループについて特定された前記第１情報と、前記所定の場所に存在する物品の数量とに基づいて、不足しないことが予測される物品を優先して、前記配布可能な物品として判定する、
付記１３又は１４に記載の配布管理方法。
【０２４４】
（付記１６）
前記情報処理装置において、
前記第１情報は、前記ユーザが持つ食物アレルギーに関する情報であり、
前記第２情報は、前記ユーザが属する家族に関する情報であり、
前記第２情報によって特定される前記家族に属する前記ユーザのそれぞれについて、食物アレルギーを有しないことにより、共通して摂取可能な食品を前記第１情報によって特定し、
特定した前記共通して摂取可能な食品と、前記所定の場所に存在する食品の数量とに基づいて、前記家族に前記配布可能な食品を判定する、
付記１３〜１５のいずれか１項に記載の配布管理方法。
【０２４５】
（付記１７）
前記情報処理装置において、
家族毎に、前記所定の場所に存在する食品のうち、前記共通して摂取可能な食品の品目数の逆数を算出し、
対象の食品を提供可能な家族について、前記品目数の逆数の平均値を算出し、
前記所定の場所に存在する家族の数に対する、前記対象の食品を提供可能な家族の数の第１の割合を算出し、
前記所定の場所に存在する前記対象の食品の数に対する、当該対象の食品を提供可能な家族に属するユーザの合計数の第２の割合を算出し、
前記平均値と前記第１の割合と前記第２の割合とに基づき、閾値を算出し、
前記共通して摂取可能な食品の品目数の逆数が前記閾値以上である前記対象の食品を、前記配布可能な食品として判定する、
付記１６に記載の配布管理方法。
【０２４６】
（付記１８）
前記平均値をｘとし、前記第１の割合をｙとし、前記第２の割合をｚとする場合に、前記閾値は、
【数７】
2019197264.tif 000009
によって、表わせる、
付記１７に記載の配布管理方法。
【符号の説明】
【０２４７】
１００      ：情報処理システム
１          ：拠点サーバ
２          ：避難所サーバ
３          ：個人情報入力端末
４          ：リクエスト受付端末
５          ：配布食料品表示端末
６          ：食料品登録端末
７          ：自治体サーバ
８          ：ネットワーク
１１，２１，３１，４１，７１：ＣＰＵ
１２，３２  ：メモリ
１３，３３  ：表示制御部
１３０，３３０：表示装置
１４，２４，３４：記憶装置
１５，３５  ：入力Ｉ／Ｆ
１５１，３５１：マウス
１５２，３５２：キーボード
１６，３６  ：読み書き処理部
１６０，３６０：記録媒体
１７，３７  ：通信Ｉ／Ｆ
９１        ：避難者
９２ａ，９２ｂ：避難所スタッフ
９２ｃ      ：食料品倉庫スタッフ
９３        ：食料品
９４        ：配布食料品保管棚
１０１，２０１，７０１  ：サーバＰＧ
１０２      ：アレルゲン有無在庫情報ＤＢ
１１１      ：第１格納処理部
１１２      ：算出部
１１３      ：判定部
１１４      ：通知部
２０２      ：家族アレルギー食品情報ＤＢ
２０３      ：家族構成情報ＤＢ
２１１      ：第２格納処理部
３０１      ：個人情報
３０２      ：家族構成情報
３１１      ：第１受付処理部
３１２      ：第１表示処理部
３５３，４５３：顔認証カメラ
３５４，４５４：静脈認証装置
４００      ：家族構成表示画面
４０１      ：構成員表示アイコン
４０２      ：配布可否表示アイコン
４０３      ：画面遷移ボタン
４０４      ：ポップアップ
４０５      ：メッセージ
４０６      ：提供可能食料品一覧
４０７      ：数量入力ボックス
４０８      ：合計数量表示ボックス
４０９      ：画面遷移ボタン
４１０      ：リクエスト数入力画面
４１１      ：第２受付処理部
４１２      ：第２表示処理部
６０１      ：入荷登録システム
７１１      ：第３格納処理部
【図１】
2019197264.tif 000011
【図２】
2019197264.tif 000012
【図３】
2019197264.tif 000013
【図４】
2019197264.tif 000014
【図５】
2019197264.tif 000015
【図６】
2019197264.tif 000016
【図７】
2019197264.tif 000017
【図８】
2019197264.tif 000018
【図９】
2019197264.tif 000019
【図１０】
2019197264.tif 000020
【図１１】
2019197264.tif 000021
【図１２】
2019197264.tif 000022
【図１３】
2019197264.tif 000023
【図１４】
2019197264.tif 000024
【図１５】
2019197264.tif 000025
【図１６】
2019197264.tif 000026
【図１７】
2019197264.tif 000027
【図１８】
2019197264.tif 000028
【図１９】
2019197264.tif 000029
【図２０】
2019197264.tif 000030
【図２１】
2019197264.tif 000031